(57)【要約】【課題】連結管を用いることなく槽（浴槽もしくはオーバーフロー槽）の水位を略均等化する温浴設備を提供する。【解決手段】この第１の形態の温浴設備８０ａはオーバーフロー槽１１Ａ、１１Ｂの水位に応じて、水位の高いオーバーフロー槽１１Ａ、１１Ｂの取水量を大きくするように制御する。また、水位の低いオーバーフロー槽１１Ａ、１１Ｂの取水量を小さくするように制御する。また、第２の形態の温浴設備８０ｂは浴槽１０Ａ、１０Ｂの水位に応じて、水位の高い浴槽１０Ａ、１０Ｂの還流量を小さくするように制御する。また、水位の低い浴槽１０Ａ、１０Ｂの還流量を大きくするように制御する。これにより、細菌類の繁殖の大きな温床となる連通管９を用いることなくオーバーフロー槽１１Ａ、１１Ｂもしくは浴槽１０Ａ、１０Ｂの水位の略均等化を図ることができる。【選択図】図１
2019154675.tif 000002
【特許請求の範囲】
【請求項１】
複数の浴槽と、
前記浴槽ごとに設けられ前記浴槽から溢れた湯水を受けるオーバーフロー槽と、
前記オーバーフロー槽の湯水をそれぞれ取水する取水配管と、
前記取水配管により取水した湯水を濾過する濾過手段と、
前記濾過手段で濾過した湯水を前記浴槽に還流する還流配管と、を有する温浴設備において、
前記オーバーフロー槽の水位をそれぞれ取得する水位取得手段と、
前記取水配管に設けられ前記オーバーフロー槽からの取水量をそれぞれ調整する流量調整手段と、
前記水位取得手段からの水位情報に基づいて前記流量調整手段を制御する制御部と、を備え、
前記制御部は、水位の高いオーバーフロー槽の取水配管の流量を大きくするように流量調整手段を制御し、水位の低いオーバーフロー槽の取水配管の流量を小さくするように流量調整手段を制御し、前記オーバーフロー槽の水位を略均等化することを特徴とする温浴設備。
【請求項２】
複数の浴槽と、
前記浴槽の湯水をそれぞれ取水する取水配管と、
前記取水配管により取水した湯水を濾過する濾過手段と、
前記濾過手段で濾過した湯水を前記浴槽に還流する還流配管と、を有する温浴設備において、
前記浴槽の水位をそれぞれ取得する水位取得手段と、
前記還流配管に設けられ前記浴槽への湯水の還流量をそれぞれ調整する流量調整手段と、
前記水位取得手段からの水位情報に基づいて前記流量調整手段を制御する制御部と、を備え、
前記制御部は、水位の低い浴槽の還流配管の流量を大きくするように流量調整手段を制御し、水位の高い浴槽の還流配管の流量を小さくするように流量調整手段を制御し、前記浴槽の水位を略均等化することを特徴とする温浴設備。
【請求項３】
浴槽が２つであり、
制御部が、双方の水位取得手段の水位情報の差分に比例して、一方の流量調整手段を流量が増大する方向に制御し、他方の流量調整手段を流量が減少する方向に制御することを特徴とする請求項１または請求項２に記載の温浴設備。
【発明の詳細な説明】
【技術分野】
【０００１】
本発明は、連結管を用いずに複数の槽の水位を略均等化する温浴設備に関するものである。
【背景技術】
【０００２】
温泉や健康ランドはもとより、一般のホテルやスポーツクラブ等においても大浴場を備えた施設が増加傾向にある。このような温浴設備には循環型と掛け流し型のものが有り、また男性用、女性用の少なくとも２つの浴槽を備えているのが一般的である。そして、循環型の温浴設備は、浴槽の湯水を取水して濾過等により浄化し、加温して浴槽に還流することで湯量を維持する。ただし、湯水を濾過する濾過手段や、湯水を加温する加熱手段は浴槽ごとに設けるのではなく、各浴槽から取水した湯水を合流させて一括して濾過、加温した後、各浴槽に分配して還流させることが多い。この場合、取水、還流する複数の浴槽の水位は略均等化する必要がある。複数の浴槽の水位を均等化する従来の手法としては、下記［特許文献１］にも開示されているように、複数の浴槽間を連通管で繋ぐことが一般的である。
【０００３】
ここで、連通管を備えた従来の温浴設備の概略図を図４に示す。図４に示す従来の温浴設備１は、複数の浴槽１０Ａ、１０Ｂと、これら複数の浴槽１０Ａ、１０Ｂの湯水を取水する取水配管１２Ａ、１２Ｂと、取水した湯水中の大きな夾雑物を除去するヘアキャッチャ１４と、取水した湯水を殺菌する殺菌手段１６と、取水した湯水を濾過する濾過手段１８と、この濾過手段１２で濾過した湯水を所定の温度に加温する加熱手段２０と、加温された湯水を浴槽１０Ａ、１０Ｂに還流する還流配管２２Ａ、２２Ｂと、これら湯水を圧送するポンプ手段２４と、湯水の総量が減少した時に適宜補水を行う給水配管７と、を有している。また、浴槽１０Ａ、１０Ｂは連通管９により連通しており、これにより浴槽１０Ａ、１０Ｂの水位は略均等となる。
【０００４】
また、オーバーフロー槽１１Ａ、１１Ｂを備えた従来の温浴設備の概略図を図５に示す。この図５に示す従来の温浴設備３は、浴槽１０Ａ、１０Ｂから溢れた湯水を受けるオーバーフロー槽１１Ａ、１１Ｂを備えており、このオーバーフロー槽１１Ａ、１１Ｂには浴槽１０Ａ、１０Ｂからの湯水が常時落水するように構成されている。そして、このオーバーフロー槽１１Ａ、１１Ｂを備えた従来の温浴設備では、取水配管１２Ａ、１２Ｂがオーバーフロー槽１１Ａ、１１Ｂと接続し、このオーバーフロー槽１１Ａ、１１Ｂの湯水を取得して送水する。尚、浴槽１０Ａ、１０Ｂのオーバーフロー水の量は利用者の出入り等により増減し、これに伴ってオーバーフロー槽１１Ａ、１１Ｂの水位も変動する。よって、このような温浴設備３においては、オーバーフロー槽１１Ａ、１１Ｂを連通管９で繋げオーバーフロー槽１１Ａ、１１Ｂの水位を略均等化し、取水配管１２Ａ、１２Ｂによる効率的な取水を可能としている。
【先行技術文献】
【特許文献】
【０００５】
【特許文献１】特開２００３−３２５３６７号公報
【発明の概要】
【発明が解決しようとする課題】
【０００６】
しかしながら、連通管内は常時湯水が入れ替わるものではなく、内部に停留した「死に水」が生じる。また連通管は機構上、槽の底面もしくは下部に接続され、浴槽よりも下方を通す場合が多い。このため汚れが溜まり易く洗浄もし難い。よって、連通管内はレジオネラ菌を含む細菌等の繁殖の大きな温床となり、衛生面での問題が懸念される。
【０００７】
本発明は上記事情に鑑みてなされたものであり、連結管を用いることなく槽（浴槽もしくはオーバーフロー槽）の水位を略均等化する温浴設備の提供を目的とする。
【課題を解決するための手段】
【０００８】
本発明は、
（１）複数の浴槽１０Ａ、１０Ｂと、前記浴槽１０Ａ、１０Ｂごとに設けられ前記浴槽１０Ａ、１０Ｂから溢れた湯水を受けるオーバーフロー槽１１Ａ、１１Ｂと、前記オーバーフロー槽１１Ａ、１１Ｂの湯水をそれぞれ取水する取水配管１２Ａ、１２Ｂと、前記取水配管１２Ａ、１２Ｂにより取水した湯水を濾過する濾過手段１８と、前記濾過手段１８で濾過した湯水を前記浴槽１０Ａ、１０Ｂに還流する還流配管２２Ａ、２２Ｂと、を有する温浴設備において、
前記オーバーフロー槽１１Ａ、１１Ｂの水位をそれぞれ取得する水位取得手段３０Ａ、３０Ｂと、
前記取水配管１２Ａ、１２Ｂに設けられ前記オーバーフロー槽１１Ａ、１１Ｂからの取水量をそれぞれ調整する流量調整手段（取水量調整手段３２Ａ、３２Ｂ）と、
前記水位取得手段３０Ａ、３０Ｂからの水位情報に基づいて前記流量調整手段を制御する制御部３４と、を備え、
前記制御部３４は、水位の高いオーバーフロー槽１１Ａ、１１Ｂの取水配管１２Ａ、１２Ｂの流量を大きくするように流量調整手段を制御し、水位の低いオーバーフロー槽１１Ａ、１１Ｂの取水配管１２Ａ、１２Ｂの流量を小さくするように流量調整手段を制御し、前記オーバーフロー槽１１Ａ、１１Ｂの水位を略均等化することを特徴とする温浴設備８０ａを提供することにより、上記課題を解決する。
（２）複数の浴槽１０Ａ、１０Ｂと、前記浴槽１０Ａ、１０Ｂの湯水をそれぞれ取水する取水配管１２Ａ、１２Ｂと、前記取水配管１２Ａ、１２Ｂにより取水した湯水を濾過する濾過手段１８と、前記濾過手段１８で濾過した湯水を前記浴槽１０Ａ、１０Ｂに還流する還流配管２２Ａ、２２Ｂと、を有する温浴設備において、
前記浴槽１０Ａ、１０Ｂの水位をそれぞれ取得する水位取得手段３０Ａ、３０Ｂと、
前記還流配管２２Ａ、２２Ｂに設けられ前記浴槽１０Ａ、１０Ｂへの湯水の還流量をそれぞれ調整する流量調整手段（還流量調整手段３６Ａ、３６Ｂ）と、
前記水位取得手段３０Ａ、３０Ｂからの水位情報に基づいて前記流量調整手段を制御する制御部３４と、を備え、
前記制御部３４は、水位の低い浴槽１０Ａ、１０Ｂの還流配管２２Ａ、２２Ｂの流量を大きくするように流量調整手段を制御し、水位の高い浴槽１０Ａ、１０Ｂの還流配管２２Ａ、２２Ｂの流量を小さくするように流量調整手段を制御し、前記浴槽１０Ａ、１０Ｂの水位を略均等化することを特徴とする温浴設備８０ｂを提供することにより、上記課題を解決する。
（３）浴槽１０Ａ、１０Ｂが２つであり、
制御部３４が、双方の水位取得手段３０Ａ、３０Ｂの水位情報の差分に比例して、一方の流量調整手段を流量が増大する方向に制御し、他方の流量調整手段を流量が減少する方向に制御することを特徴とする上記（１）または（２）に記載の温浴設備８０ａ、８０ｂを提供することにより、上記課題を解決する。
【発明の効果】
【０００９】
本発明に係る温浴設備は、連通管を用いることなくオーバーフロー槽もしくは浴槽の水位を略均等化することができる。これにより、温浴設備における衛生面の向上を図ることができる。
【図面の簡単な説明】
【００１０】
【図１】本発明に係る第１の形態の温浴設備を示す図である。
【図２】本発明に係る第２の形態の温浴設備を示す図である。
【図３】本発明に係る温浴設備の動作を示すグラフである。
【図４】従来の温浴設備を示す図である。
【図５】従来の温浴設備を示す図である。
【発明を実施するための形態】
【００１１】
本発明に係る温浴設備について図面に基づいて説明する。ここで、図１は本発明に係る第１の形態の温浴設備８０ａの概略構成図である。また、図２は本発明に係る第２の形態の温浴設備８０ｂの概略構成図である。尚、図１、図２において、従来と同一の構成に関しては同符号にて示す。また、ここでは２つ浴槽１０Ａ、１０Ｂを用いた例で説明を行うが、浴槽の数（オーバーフロー槽の数）に特に限定はない。また、本発明は入浴施設に限らずプール等に適用しても良い。
【００１２】
本発明に係る第１の形態の温浴設備８０ａは、従来の温浴設備３と同様の構成として、男湯、女湯等の複数の浴槽１０Ａ、１０Ｂと、この浴槽１０Ａ、１０Ｂごとに設けられ浴槽１０Ａ、１０Ｂから溢れた湯水を受けるオーバーフロー槽１１Ａ、１１Ｂと、このオーバーフロー槽１１Ａ、１１Ｂの湯水をそれぞれ取水する取水配管１２Ａ、１２Ｂと、この取水配管１２Ａ、１２Ｂにより取水した湯水を濾過する濾過手段１８と、この濾過手段１８で濾過した湯水を浴槽１０Ａ、１０Ｂに還流する還流配管２２Ａ、２２Ｂと、を有している。また、温浴設備８０ａは、取水配管１２Ａ、１２Ｂが取水した湯水中に存在する毛髪等の大きな夾雑物を除去する周知のヘアキャッチャ１４と、取水した湯水中に例えば塩素系の殺菌剤等を所定量添加して湯水の殺菌を行う殺菌手段１６と、取水した湯水を所定の温度に加温する周知の加熱手段２０と、これら湯水を圧送するための周知のポンプ手段２４と、を有している。
【００１３】
そして、第１の形態の温浴設備８０ａは、その特徴的な構成として、オーバーフロー槽１１Ａ、１１Ｂごとに設けられオーバーフロー槽１１Ａ、１１Ｂの水位をそれぞれ取得して水位情報として出力する水位取得手段３０Ａ、３０Ｂと、各取水配管１２Ａ、１２Ｂに設けられオーバーフロー槽１１Ａ、１１Ｂからの取水量をそれぞれ調整する取水量調整手段３２Ａ、３２Ｂ（流量調整手段）と、水位取得手段３０Ａ、３０Ｂの取得した水位情報に基づいて取水量調整手段３２Ａ、３２Ｂの流量を制御する制御部３４と、を有している。
【００１４】
また、温浴設備８０ａでは、浴槽１０Ａ、１０Ｂの湯水をオーバーフロー槽１１Ａ、１１Ｂを介さずに直接取水するバイパス管２６Ａ、２６Ｂを設けても良い。このバイパス管２６Ａ、２６Ｂは流量調整手段２８Ａ、２８Ｂを備えており、浴槽１０Ａ、１０Ｂのオーバーフロー量、即ちオーバーフロー槽１１Ａ、１１Ｂの基準水位を規定する機能を有する。尚、流量調整手段２８Ａ、２８Ｂの流量（開度）は基本的に予め設定された値で固定される。従って、必ずしも制御部３４と接続する必要はない。ただし、流量調整手段２８Ａ、２８Ｂを制御部３４によって制御可能とし、オーバーフロー槽１１Ａ、１１Ｂの水位変化が大きく、取水配管１２Ａ、１２Ｂのみでは対応できない場合に、制御部３４が流量調整手段２８Ａ、２８Ｂの流量を調整してオーバーフロー槽１１Ａ、１１Ｂへ流入する水量を調整するようにしても良い。
【００１５】
また、図２に示す本発明に係る第２の形態の温浴設備８０ｂは、従来の温浴設備１と同様の構成として、複数の浴槽１０Ａ、１０Ｂと、この浴槽１０Ａ、１０Ｂの湯水をそれぞれ取水する取水配管１２Ａ、１２Ｂと、取水した湯水を濾過する濾過手段１８と、この濾過手段１８で濾過した湯水を浴槽１０Ａ、１０Ｂに還流する還流配管２２Ａ、２２Ｂと、を有している。また、ヘアキャッチャ１４と、殺菌手段１６と、加熱手段２０と、ポンプ手段２４と、を有している。
【００１６】
そして、第２の形態の温浴設備８０ｂは、その特徴的な構成として、浴槽１０Ａ、１０Ｂごとに設けられ浴槽１０Ａ、１０Ｂの水位をそれぞれ取得して水位情報として出力する水位取得手段３０Ａ、３０Ｂと、各還流配管２２Ａ、２２Ｂに設けられ浴槽１０Ａ、１０Ｂへの湯水の還流量を浴槽１０Ａ、１０Ｂごとにそれぞれ調整する還流量調整手段３６Ａ、３６Ｂ（流量調整手段）と、水位取得手段３０Ａ、３０Ｂの取得した水位情報に基づいて還流量調整手段３６Ａ、３６Ｂの流量を制御する制御部３４と、を有している。
【００１７】
尚、第２の形態の温浴設備８０ｂでは、取水配管１２Ａ、１２Ｂに第１の形態の温浴設備８０ａと同様に動作する取水量調整手段３２Ａ、３２Ｂを設け、取水側でも流量調整を行うようにしても良い。
【００１８】
そして、上記の温浴設備８０ａ、８０ｂに用いる水位取得手段３０Ａ、３０Ｂとしては、出力信号（水位情報）が水位に応じて変化する周知の水位計を用いることが可能であり、中でも特に圧力式水位計を用いることが好ましい。また、取水量調整手段３２Ａ、３２Ｂ、還流量調整手段３６Ａ、３６Ｂとしては入力信号に応じて流量（開度）を変化させることが可能な周知の流量調整手段を用いることが可能であり、中でも特に比例電動弁を用いることが好ましい。
【００１９】
次に、温浴設備８０ａ、８０ｂに共通する基本動作を説明する。先ず、浴槽１０Ａ、１０Ｂには所定の温度に加温された湯水が貯水されている。そして、ポンプ手段２４の動作により取水配管１２Ａ、１２Ｂは浴槽１０Ａ、１０Ｂもしくはオーバーフロー槽１１Ａ、１１Ｂ内の湯水を取水する。次に、取水配管１２Ａ、１２Ｂで取水された湯水は合流してヘアキャッチャ１４に吐出され、ここで毛髪等の比較的大きな夾雑物が除去される。また、ヘアキャッチャ１４を通過した湯水は、次に殺菌手段１６により例えば塩素系の殺菌剤等が所定量添加される。尚、殺菌手段１６は薬剤添加と併用してオゾン殺菌装置や紫外線殺菌装置による殺菌を行っても良い。そして、この殺菌手段１６の動作により、取水された湯水中の細菌類は死滅もしくは減少する。
【００２０】
殺菌手段１６において殺菌された湯水は、次に濾過手段１８に通水される。この濾過手段１８としては砂濾過器やフィルタ等の周知の濾過装置を用いることができる。尚、本例では濾過手段１８として砂濾過器を用いた例を説明する。濾過手段１８としての砂濾過器は、例えばマンガン砂、アンスラサイト等の粒径、種類の異なる複数種類の濾過材が粒径の順に充填され、粒径の大きい濾材側から湯水を通水することで濾過を行う。これにより、湯水中の細かな夾雑物は除去される。尚、濾過手段１８は定期的に逆洗が行われ、濾材中の夾雑物は適宜除去される。
【００２１】
濾過手段１８で濾過された湯水は次にヒータやボイラ等の周知の加熱手段２０によって所定の温度に加温される。そして、還流配管２２Ａ、２２Ｂを通して浴槽１０Ａ、１０Ｂに還流する。また、温浴設備８０ａ、８０ｂの湯水の総量が所定の値よりも減少した場合には、給水配管７より浴槽１０Ａ、１０Ｂもしくはオーバーフロー槽１１Ａ、１１Ｂに対して適宜湯水が補水される。
【００２２】
次に、本発明に係る第１の形態の温浴設備８０ａの特徴的な動作を説明する。第１の形態の温浴設備８０ａでは浴槽１０Ａ、１０Ｂは基本的に常時満水とされ、これにさらに還流配管２２Ａ、２２Ｂから加温された湯水が供給される。よって、浴槽１０Ａ、１０Ｂからは常時湯水が溢れオーバーフロー槽１１Ａ、１１Ｂ内に落水する。また、浴槽１０Ａ、１０Ｂに利用者が出入りなどすると、これに応じてオーバーフロー量が増減しオーバーフロー槽１１Ａ、１１Ｂの水位が上下する。
【００２３】
そして、水位取得手段３０Ａ、３０Ｂは、このオーバーフロー槽１１Ａ、１１Ｂの水位を取得して水位情報として制御部３４に出力する。また制御部３４は水位取得手段３０Ａ、３０Ｂからの水位情報に基づいて取水量調整手段３２Ａ、３２Ｂの流量を制御し、取水配管１２Ａ、１２Ｂの取水量を調整する。
【００２４】
この制御部３４による取水量調整手段３２Ａ、３２Ｂの制御は例えば以下の様にして行う。先ず、制御部３４は入力したオーバーフロー槽１１Ａ、１１Ｂの水位情報を比較するとともに両者の差分を算出する。そして、相対的に水位が高いオーバーフロー槽１１Ａ、１１Ｂ側の取水量調整手段３２Ａ、３２Ｂの開度を水位情報の差分に応じて拡げ、取水配管１２Ａ、１２Ｂの流量（取水量）が大きくなるように制御する。反対に相対的に水位が低いオーバーフロー槽１１Ｂ、１１Ａ側の取水量調整手段３２Ｂ、３２Ａの開度を水位情報の差分に応じて狭め、取水配管１２Ｂ、１２Ａの流量（取水量）が小さくなるように制御する。これにより、相対的に水位が高いオーバーフロー槽１１Ａ、１１Ｂの取水量が増大すると同時に相対的に水位が低いオーバーフロー槽１１Ｂ、１１Ａの取水量が減少し、オーバーフロー槽１１Ａ、１１Ｂの水位は略均等化する。尚、この制御方法は浴槽数が２つの場合に好適な制御方法である。
【００２５】
また、制御部３４の他の制御方法としては、水位情報の絶対的な値に応じて取水量調整手段３２Ａ、３２Ｂの流量を変化させる方法ある。この構成ではオーバーフロー槽１１Ａ、１１Ｂの水位が上下し、水位取得手段３０Ａ、３０Ｂの水位情報の値が規定の値よりも増減すると、単純にこの水位情報の値に応じて取水量調整手段３２Ａ、３２Ｂの流量（開度）を変化させる。これにより、規定の値よりも水位の高いオーバーフロー槽１１Ａ、１１Ｂの取水配管１２Ａ、１２Ｂの取水量は増大しオーバーフロー槽１１Ａ、１１Ｂの水位は低下する。また反対に規定の値よりも水位の低いオーバーフロー槽１１Ａ、１１Ｂの取水配管１２Ａ、１２Ｂの取水量は減少しオーバーフロー槽１１Ａ、１１Ｂの水位は上昇する。これにより、オーバーフロー槽１１Ａ、１１Ｂの水位は規定の値に略均等化される。
【００２６】
次に、本発明に係る第２の形態の温浴設備８０ｂの特徴的な動作を説明する。この第２の形態の温浴設備８０ｂでは、水位取得手段３０Ａ、３０Ｂは浴槽１０Ａ、１０Ｂの水位を取得して水位情報として制御部３４に出力する。そして、制御部３４は水位取得手段３０Ａ、３０Ｂからの浴槽１０Ａ、１０Ｂの水位情報に基づいて還流量調整手段３６Ａ、３６Ｂを制御し、還流配管２２Ａ、２２Ｂによる浴槽１０Ａ、１０Ｂへの湯水の還流量を調整する。
【００２７】
この第２の形態の温浴設備８０ｂの制御部３４の制御動作としては、水位情報の絶対的な値に反比例するように還流量調整手段３６Ａ、３６Ｂの流量（開度）を制御する方法を用いることが好ましい。この構成では、浴槽１０Ａ、１０Ｂの水位が上昇し、水位取得手段３０Ａ、３０Ｂの水位情報の値が規定の値を超えると、この水位情報の値に反比例して還流量調整手段３６Ａ、３６Ｂの開度が狭められ流量が小さくなるように制御される。これにより、還流配管２２Ａ、２２Ｂからの浴槽１０Ａ、１０Ｂへの湯水の還流量は減少し、浴槽１０Ａ、１０Ｂの水位は低下する。反対に浴槽１０Ａ、１０Ｂの水位が低下し、水位取得手段３０Ａ、３０Ｂの水位情報の値が規定の値を下回ると、この水位情報の値と反比例して還流量調整手段３６Ａ、３６Ｂの開度は拡げられ流量が大きくなるように制御される。これにより、還流配管２２Ａ、２２Ｂからの浴槽１０Ａ、１０Ｂへの還流量は増大し、浴槽１０Ａ、１０Ｂの水位は上昇する。これにより、浴槽１０Ａ、１０Ｂの水位は規定の値に略均等化される。
【００２８】
尚、温浴設備８０ｂの制御部３４による制御は水位情報の差分に基づいて行っても良い。この構成では水位取得手段３０Ａ、３０Ｂから出力される浴槽１０Ａ、１０Ｂ双方の水位情報を比較して、相対的に水位が高い浴槽１０Ａ、１０Ｂの還流量調整手段３６Ａ、３６Ｂの開度を水位情報の差分に応じて狭め、流量が小さくなるように制御する。これにより、還流配管２２Ａ、２２Ｂからの湯水の還流量は減少し、浴槽１０Ａ、１０Ｂの水位は低下する。また反対に相対的に水位が低い浴槽１０Ｂ、１０Ａの還流量調整手段３６Ｂ、３６Ａの開度を水位情報の差分に応じて拡げ流量が大きくなるように制御する。これにより、還流配管２２Ｂ、２２Ａからの湯水の還流量は増大し、浴槽１０Ｂ、１０Ａの水位は上昇する。これにより、浴槽１０Ａ、１０Ｂの水位は略均等化する。
【００２９】
ここで、スモールスケールの実験槽を用い第１の形態の温浴設備８０ａの動作を検証する。尚、実験槽は容量１．００ｍ３の２つの疑似的な浴槽１０Ａ、１０Ｂと、容量０．０８ｍ３のオーバーフロー槽１１Ａ、１１Ｂとを用い、オーバーフロー槽１１Ａ、１１Ｂには取水配管１２Ａ、１２Ｂを接続し、浴槽１０Ａ、１０Ｂにはバイパス管２６Ａ、２６Ｂと還流配管２２Ａ、２２Ｂとをそれぞれ接続した。尚、ヘアキャッチャ１４、殺菌手段１６、濾過手段１８、加熱手段２０は設置を省略した。また、ポンプ手段２４の流量は１０８Ｌ／ｍｉｎとした。そして、初期状態における取水配管１２Ａ、１２Ｂの流量を１８Ｌ／ｍｉｎ、バイパス管２６Ａ、２６Ｂの流量を３６Ｌ／ｍｉｎとなるよう取水量調整手段３２Ａ、３２Ｂ、流量調整手段２８Ａ、２８Ｂを調整し、この流量で流量調整手段２８Ａ、２８Ｂを固定した。また、制御部３４の制御方法は水位情報の差分に基づく相対制御とした。そして、検証実験は体積０．０４ｍ３（４０Ｌ）の物体を浴槽１０Ａ、１０Ｂに出し入れし、そのときのオーバーフロー槽１１Ａ、１１Ｂ水位と取水配管１２Ａ、１２Ｂの流量を測定して行った。
【００３０】
ここで、実験時の経過時間とオーバーフロー槽１１Ａ、１１Ｂの水位の関係を図３（ａ）に、経過時間と取水配管１２Ａ、１２Ｂの流量の関係を図３（ｂ）に示す。尚、図３において、破線ａがオーバーフロー槽１１Ａの水位及び取水配管１２Ａの流量であり、実線ｂがオーバーフロー槽１１Ｂの水位及び取水配管１２Ｂの流量である。
【００３１】
先ず、初期状態で安定した温浴設備８０ａ（実験槽）の一方の浴槽１０Ｂに前記の物体を沈降させた（図３中のＢ１点）。これにより、浴槽１０Ｂの湯水が瞬間的にオーバーフロー槽１１Ｂに流入し、図３（ａ）の実線ｂに示すオーバーフロー槽１１Ｂの水位が急上昇した。この水位の変化を受け制御部３４は、取水配管１２Ｂの取水量調整手段３２Ｂの開度を拡げオーバーフロー槽１１Ｂからの取水量を増大させるとともに、取水配管１２Ａの取水量調整手段３２Ａの開度を狭め（一時的に閉塞し）オーバーフロー槽１１Ａからの取水量を減少させるよう動作する。これにより、図３（ｂ）に示すようにオーバーフロー槽１１Ｂの取水量（実線ｂ）は増大し、オーバーフロー槽１１Ａの取水量（破線ａ）は減少する。これにより、オーバーフロー槽１１Ａ、１１Ｂの水位の差は徐々に狭まり、これに応じて取水量調整手段３２Ｂは狭まる方向に、取水量調整手段３２Ａは拡がる方向に制御される。これによりオーバーフロー槽１１Ａ、１１Ｂの取水量の差も減少し、両者の水位は物体投入からおよそ１２５ｓｅｃ後に水位差約１３ｍｍの値で略均等化し安定した。
【００３２】
次に、物体を浴槽１０Ｂから取り出した（図３中のＢ２点）。これにより、オーバーフロー槽１１Ｂへの湯水の流入量が減少し、オーバーフロー槽１１Ｂの水位は徐々に減少した。このオーバーフロー槽１１Ａ、１１Ｂの水位の変化により取水量調整手段３２Ｂは狭まる方向に、取水量調整手段３２Ａは拡がる方向に制御され、これにより、図３（ｂ）に示すオーバーフロー槽１１Ｂの取水量（実線ｂ）は減少し、オーバーフロー槽１１Ａの取水量（破線ａ）は増大する。これにより、オーバーフロー槽１１Ａ、１１Ｂの水位の差は徐々に狭まり、これに応じて取水量調整手段３２Ｂは拡がる方向に、取水量調整手段３２Ａは狭まる方向にそれぞれ制御される。これにより、オーバーフロー槽１１Ａ、１１Ｂの取水量の差も減少し、両者の水位は物体取り出しからおよそ１７６ｓｅｃ後に水位差がほぼゼロの状態で略均等化し安定した（図３中のＢ３点）。
【００３３】
次に、他方の浴槽１０Ａに同様にして物体を沈降させた（図３中のＡ１点）。これにより、浴槽１０Ａの湯水が瞬間的にオーバーフロー槽１１Ａに流入し、図３（ａ）の破線ａに示すオーバーフロー槽１１Ａの水位は急上昇した。この水位の変化により制御部３４は、取水量調整手段３２Ａの開度を拡げオーバーフロー槽１１Ａからの取水量を増大させるとともに、取水量調整手段３２Ｂの開度を狭め（一時的に閉塞し）オーバーフロー槽１１Ｂからの取水量を減少させる。これにより、図３（ｂ）に示すようにオーバーフロー槽１１Ａの取水量（破線ａ）は増大し、オーバーフロー槽１１Ｂの取水量（実線ｂ）は減少する。これにより、オーバーフロー槽１１Ａ、１１Ｂの水位の差は徐々に狭まり、これに応じて取水量調整手段３２Ａは狭まる方向に、取水量調整手段３２Ｂは拡がる方向に制御される。これにより、オーバーフロー槽１１Ａ、１１Ｂの取水量の差も減少し、両者の水位は物体投入からおよそ９４ｓｅｃ後に水位差約１５ｍｍの値で略均等化し安定した。
【００３４】
次に、物体を浴槽１０Ａから取り出した（図３中のＡ２点）。これにより、オーバーフロー槽１１Ａへの湯水の流入量が減少し、オーバーフロー槽１１Ａの水位は徐々に減少した。このオーバーフロー槽１１Ａ、１１Ｂの水位の変化により取水量調整手段３２Ａは狭まる方向に、取水量調整手段３２Ｂは拡がる方向に制御され、これにより、図３（ｂ）に示すオーバーフロー槽１１Ａの取水量（破線ａ）は減少し、オーバーフロー槽１１Ｂの取水量（実線ｂ）は増大する。これにより、オーバーフロー槽１１Ａ、１１Ｂの水位の差は徐々に狭まり、これに応じて取水量調整手段３２Ａは拡がる方向に、取水量調整手段３２Ｂは狭まる方向に制御される。これにより、オーバーフロー槽１１Ａ、１１Ｂの取水量の差も減少し、両者の水位は物体取り出しからおよそ２５１ｓｅｃ後に水位差がほぼゼロの状態で略均等化し安定した（図３中のＡ３点）。
【００３５】
これらの結果から、第１の形態の温浴設備８０ａは連通管９を用いなくともオーバーフロー槽１１Ａ、１１Ｂの水位の略均等化を図ることが可能なことが判る。また、水位情報の絶対値による制御方法においても水位の略均等化を図ることが可能と推測される。さらに、第２の形態の温浴設備８０ｂにおいても同様の水位の略均等化を図ることが可能と推測される。
【００３６】
以上のように、本発明に係る第１の形態の温浴設備８０ａはオーバーフロー槽１１Ａ、１１Ｂの水位に応じて、水位の高いオーバーフロー槽１１Ａ、１１Ｂの取水量を大きくするように制御する。また、水位の低いオーバーフロー槽１１Ａ、１１Ｂの取水量を小さくするように制御する。また、本発明に係る第２の形態の温浴設備８０ｂは浴槽１０Ａ、１０Ｂの水位に応じて、水位の高い浴槽１０Ａ、１０Ｂの還流量を小さくするように制御する。また、水位の低い浴槽１０Ａ、１０Ｂの還流量を大きくするように制御する。これにより、細菌類の繁殖の大きな温床となる連通管９を用いることなくオーバーフロー槽１１Ａ、１１Ｂもしくは浴槽１０Ａ、１０Ｂの水位の略均等化を図ることができる。これにより、温浴設備における衛生面の向上を図ることができる。また、連通管９が存在しないことから清掃が容易となり、メンテナンス性の向上を図ることができる。
【００３７】
尚、本例で示した温浴設備８０ａ、８０ｂの各部の構成、機構、形状、寸法、動作、配管経路等は一例であるから、特に本例に限定される訳ではなく、本発明は本発明の要旨を逸脱しない範囲で変更して実施することが可能である。
【符号の説明】
【００３８】
１０Ａ、１０Ｂ    浴槽
１１Ａ、１１Ｂ    オーバーフロー槽
１２Ａ、１２Ｂ    取水配管
１８    濾過手段
２２Ａ、２２Ｂ    還流配管
３０Ａ、３０Ｂ    水位取得手段
３４    制御部
３２Ａ、３２Ｂ    取水量調整手段（流量調整手段）
３６Ａ、３６Ｂ    還流量調整手段（流量調整手段）
８０ａ、８０ｂ    温浴設備
【図１】
2019154675.tif 000003
【図２】
2019154675.tif 000004
【図３】
2019154675.tif 000005
【図４】
2019154675.tif 000006
【図５】
2019154675.tif 000007
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
複数の浴槽と、
前記浴槽ごとに設けられ前記浴槽から溢れた湯水を受けるオーバーフロー槽と、
前記オーバーフロー槽の湯水をそれぞれ取水する取水配管と、
前記取水配管により取水した湯水を濾過する濾過手段と、
前記濾過手段で濾過した湯水を前記浴槽に還流する還流配管と、を有する温浴設備において、
前記オーバーフロー槽の水位をそれぞれ取得する水位取得手段と、
前記取水配管に設けられ前記オーバーフロー槽からの取水量をそれぞれ調整する流量調整手段と、
前記水位取得手段からの水位情報に基づいて前記流量調整手段を制御する制御部と、を備え、
前記制御部は、水位の高いオーバーフロー槽の取水配管の流量を大きくするように流量調整手段を制御し、水位の低いオーバーフロー槽の取水配管の流量を小さくするように流量調整手段を制御し、前記オーバーフロー槽の水位を略均等化することを特徴とする温浴設備。
【請求項２】
浴槽が２つであり、
制御部が、双方の水位取得手段の水位情報の差分に比例して、一方の流量調整手段を流量が増大する方向に制御し、他方の流量調整手段を流量が減少する方向に制御することを特徴とする請求項１に記載の温浴設備。
【手続補正２】
【補正対象書類名】明細書
【補正対象項目名】全文
【補正方法】変更
【補正の内容】
【発明の詳細な説明】
【技術分野】
【０００１】
本発明は、連結管を用いずに複数の槽の水位を略均等化する温浴設備に関するものである。
【背景技術】
【０００２】
温泉や健康ランドはもとより、一般のホテルやスポーツクラブ等においても大浴場を備えた施設が増加傾向にある。このような温浴設備には循環型と掛け流し型のものが有り、また男性用、女性用の少なくとも２つの浴槽を備えているのが一般的である。そして、循環型の温浴設備は、浴槽の湯水を取水して濾過等により浄化し、加温して浴槽に還流することで湯量を維持する。ただし、湯水を濾過する濾過手段や、湯水を加温する加熱手段は浴槽ごとに設けるのではなく、各浴槽から取水した湯水を合流させて一括して濾過、加温した後、各浴槽に分配して還流させることが多い。この場合、取水、還流する複数の浴槽の水位は略均等化する必要がある。複数の浴槽の水位を均等化する従来の手法としては、下記［特許文献１］にも開示されているように、複数の浴槽間を連通管で繋ぐことが一般的である。
【０００３】
ここで、連通管を備えた従来の温浴設備の概略図を図４に示す。図４に示す従来の温浴設備１は、複数の浴槽１０Ａ、１０Ｂと、これら複数の浴槽１０Ａ、１０Ｂの湯水を取水する取水配管１２Ａ、１２Ｂと、取水した湯水中の大きな夾雑物を除去するヘアキャッチャ１４と、取水した湯水を殺菌する殺菌手段１６と、取水した湯水を濾過する濾過手段１８と、この濾過手段１２で濾過した湯水を所定の温度に加温する加熱手段２０と、加温された湯水を浴槽１０Ａ、１０Ｂに還流する還流配管２２Ａ、２２Ｂと、これら湯水を圧送するポンプ手段２４と、湯水の総量が減少した時に適宜補水を行う給水配管７と、を有している。また、浴槽１０Ａ、１０Ｂは連通管９により連通しており、これにより浴槽１０Ａ、１０Ｂの水位は略均等となる。
【０００４】
また、オーバーフロー槽１１Ａ、１１Ｂを備えた従来の温浴設備の概略図を図５に示す。この図５に示す従来の温浴設備３は、浴槽１０Ａ、１０Ｂから溢れた湯水を受けるオーバーフロー槽１１Ａ、１１Ｂを備えており、このオーバーフロー槽１１Ａ、１１Ｂには浴槽１０Ａ、１０Ｂからの湯水が常時落水するように構成されている。そして、このオーバーフロー槽１１Ａ、１１Ｂを備えた従来の温浴設備では、取水配管１２Ａ、１２Ｂがオーバーフロー槽１１Ａ、１１Ｂと接続し、このオーバーフロー槽１１Ａ、１１Ｂの湯水を取得して送水する。尚、浴槽１０Ａ、１０Ｂのオーバーフロー水の量は利用者の出入り等により増減し、これに伴ってオーバーフロー槽１１Ａ、１１Ｂの水位も変動する。よって、このような温浴設備３においては、オーバーフロー槽１１Ａ、１１Ｂを連通管９で繋げオーバーフロー槽１１Ａ、１１Ｂの水位を略均等化し、取水配管１２Ａ、１２Ｂによる効率的な取水を可能としている。
【先行技術文献】
【特許文献】
【０００５】
【特許文献１】特開２００３−３２５３６７号公報
【発明の概要】
【発明が解決しようとする課題】
【０００６】
しかしながら、連通管内は常時湯水が入れ替わるものではなく、内部に停留した「死に水」が生じる。また連通管は機構上、槽の底面もしくは下部に接続され、浴槽よりも下方を通す場合が多い。このため汚れが溜まり易く洗浄もし難い。よって、連通管内はレジオネラ菌を含む細菌等の繁殖の大きな温床となり、衛生面での問題が懸念される。
【０００７】
本発明は上記事情に鑑みてなされたものであり、連結管を用いることなく槽（浴槽もしくはオーバーフロー槽）の水位を略均等化する温浴設備の提供を目的とする。
【課題を解決するための手段】
【０００８】
本発明は、
（１）複数の浴槽１０Ａ、１０Ｂと、前記浴槽１０Ａ、１０Ｂごとに設けられ前記浴槽１０Ａ、１０Ｂから溢れた湯水を受けるオーバーフロー槽１１Ａ、１１Ｂと、前記オーバーフロー槽１１Ａ、１１Ｂの湯水をそれぞれ取水する取水配管１２Ａ、１２Ｂと、前記取水配管１２Ａ、１２Ｂにより取水した湯水を濾過する濾過手段１８と、前記濾過手段１８で濾過した湯水を前記浴槽１０Ａ、１０Ｂに還流する還流配管２２Ａ、２２Ｂと、を有する温浴設備において、
前記オーバーフロー槽１１Ａ、１１Ｂの水位をそれぞれ取得する水位取得手段３０Ａ、３０Ｂと、
前記取水配管１２Ａ、１２Ｂに設けられ前記オーバーフロー槽１１Ａ、１１Ｂからの取水量をそれぞれ調整する流量調整手段（取水量調整手段３２Ａ、３２Ｂ）と、
前記水位取得手段３０Ａ、３０Ｂからの水位情報に基づいて前記流量調整手段を制御する制御部３４と、を備え、
前記制御部３４は、水位の高いオーバーフロー槽１１Ａ、１１Ｂの取水配管１２Ａ、１２Ｂの流量を大きくするように流量調整手段を制御し、水位の低いオーバーフロー槽１１Ａ、１１Ｂの取水配管１２Ａ、１２Ｂの流量を小さくするように流量調整手段を制御し、前記オーバーフロー槽１１Ａ、１１Ｂの水位を略均等化することを特徴とする温浴設備８０ａを提供することにより、上記課題を解決する。
（２）浴槽１０Ａ、１０Ｂが２つであり、
制御部３４が、双方の水位取得手段３０Ａ、３０Ｂの水位情報の差分に比例して、一方の流量調整手段を流量が増大する方向に制御し、他方の流量調整手段を流量が減少する方向に制御することを特徴とする上記（１）に記載の温浴設備８０ａを提供することにより、上記課題を解決する。
【発明の効果】
【０００９】
本発明に係る温浴設備は、連通管を用いることなくオーバーフロー槽の水位を略均等化することができる。これにより、温浴設備における衛生面の向上を図ることができる。
【図面の簡単な説明】
【００１０】
【図１】本発明に係る温浴設備を示す図である。
【図２】周知の温浴設備を示す図である。
【図３】本発明に係る温浴設備の動作を示すグラフである。
【図４】従来の温浴設備を示す図である。
【図５】従来の温浴設備を示す図である。
【発明を実施するための形態】
【００１１】
本発明に係る温浴設備について図面に基づいて説明する。ここで、図１は本発明に係る温浴設備８０ａの概略構成図である。また、図２は周知の温浴設備８０ｂの概略構成図である。尚、図１、図２において、従来と同一の構成に関しては同符号にて示す。また、ここでは２つ浴槽１０Ａ、１０Ｂを用いた例で説明を行うが、浴槽の数（オーバーフロー槽の数）に特に限定はない。また、本発明は入浴施設に限らずプール等に適用しても良い。
【００１２】
本発明に係る温浴設備８０ａは、従来の温浴設備３と同様の構成として、男湯、女湯等の複数の浴槽１０Ａ、１０Ｂと、この浴槽１０Ａ、１０Ｂごとに設けられ浴槽１０Ａ、１０Ｂから溢れた湯水を受けるオーバーフロー槽１１Ａ、１１Ｂと、このオーバーフロー槽１１Ａ、１１Ｂの湯水をそれぞれ取水する取水配管１２Ａ、１２Ｂと、この取水配管１２Ａ、１２Ｂにより取水した湯水を濾過する濾過手段１８と、この濾過手段１８で濾過した湯水を浴槽１０Ａ、１０Ｂに還流する還流配管２２Ａ、２２Ｂと、を有している。また、温浴設備８０ａは、取水配管１２Ａ、１２Ｂが取水した湯水中に存在する毛髪等の大きな夾雑物を除去する周知のヘアキャッチャ１４と、取水した湯水中に例えば塩素系の殺菌剤等を所定量添加して湯水の殺菌を行う殺菌手段１６と、取水した湯水を所定の温度に加温する周知の加熱手段２０と、これら湯水を圧送するための周知のポンプ手段２４と、を有している。
【００１３】
そして、温浴設備８０ａは、その特徴的な構成として、オーバーフロー槽１１Ａ、１１Ｂごとに設けられオーバーフロー槽１１Ａ、１１Ｂの水位をそれぞれ取得して水位情報として出力する水位取得手段３０Ａ、３０Ｂと、各取水配管１２Ａ、１２Ｂに設けられオーバーフロー槽１１Ａ、１１Ｂからの取水量をそれぞれ調整する取水量調整手段３２Ａ、３２Ｂ（流量調整手段）と、水位取得手段３０Ａ、３０Ｂの取得した水位情報に基づいて取水量調整手段３２Ａ、３２Ｂの流量を制御する制御部３４と、を有している。
【００１４】
また、温浴設備８０ａでは、浴槽１０Ａ、１０Ｂの湯水をオーバーフロー槽１１Ａ、１１Ｂを介さずに直接取水するバイパス管２６Ａ、２６Ｂを設けても良い。このバイパス管２６Ａ、２６Ｂは流量調整手段２８Ａ、２８Ｂを備えており、浴槽１０Ａ、１０Ｂのオーバーフロー量、即ちオーバーフロー槽１１Ａ、１１Ｂの基準水位を規定する機能を有する。尚、流量調整手段２８Ａ、２８Ｂの流量（開度）は基本的に予め設定された値で固定される。従って、必ずしも制御部３４と接続する必要はない。ただし、流量調整手段２８Ａ、２８Ｂを制御部３４によって制御可能とし、オーバーフロー槽１１Ａ、１１Ｂの水位変化が大きく、取水配管１２Ａ、１２Ｂのみでは対応できない場合に、制御部３４が流量調整手段２８Ａ、２８Ｂの流量を調整してオーバーフロー槽１１Ａ、１１Ｂへ流入する水量を調整するようにしても良い。
【００１５】
また、図２に示す温浴設備８０ｂは、従来の温浴設備１と同様の構成として、複数の浴槽１０Ａ、１０Ｂと、この浴槽１０Ａ、１０Ｂの湯水をそれぞれ取水する取水配管１２Ａ、１２Ｂと、取水した湯水を濾過する濾過手段１８と、この濾過手段１８で濾過した湯水を浴槽１０Ａ、１０Ｂに還流する還流配管２２Ａ、２２Ｂと、を有している。また、ヘアキャッチャ１４と、殺菌手段１６と、加熱手段２０と、ポンプ手段２４と、を有している。
【００１６】
そして、温浴設備８０ｂは、浴槽１０Ａ、１０Ｂごとに設けられ浴槽１０Ａ、１０Ｂの水位をそれぞれ取得して水位情報として出力する水位取得手段３０Ａ、３０Ｂと、各還流配管２２Ａ、２２Ｂに設けられ浴槽１０Ａ、１０Ｂへの湯水の還流量を浴槽１０Ａ、１０Ｂごとにそれぞれ調整する還流量調整手段３６Ａ、３６Ｂ（流量調整手段）と、水位取得手段３０Ａ、３０Ｂの取得した水位情報に基づいて還流量調整手段３６Ａ、３６Ｂの流量を制御する制御部３４と、を有している。
【００１７】
尚、温浴設備８０ｂでは、取水配管１２Ａ、１２Ｂに温浴設備８０ａと同様に動作する取水量調整手段３２Ａ、３２Ｂを設け、取水側でも流量調整を行うようにしても良い。
【００１８】
そして、上記の温浴設備８０ａ、８０ｂに用いる水位取得手段３０Ａ、３０Ｂとしては、出力信号（水位情報）が水位に応じて変化する周知の水位計を用いることが可能であり、中でも特に圧力式水位計を用いることが好ましい。また、取水量調整手段３２Ａ、３２Ｂ、還流量調整手段３６Ａ、３６Ｂとしては入力信号に応じて流量（開度）を変化させることが可能な周知の流量調整手段を用いることが可能であり、中でも特に比例電動弁を用いることが好ましい。
【００１９】
次に、温浴設備８０ａ、８０ｂに共通する基本動作を説明する。先ず、浴槽１０Ａ、１０Ｂには所定の温度に加温された湯水が貯水されている。そして、ポンプ手段２４の動作により取水配管１２Ａ、１２Ｂは浴槽１０Ａ、１０Ｂもしくはオーバーフロー槽１１Ａ、１１Ｂ内の湯水を取水する。次に、取水配管１２Ａ、１２Ｂで取水された湯水は合流してヘアキャッチャ１４に吐出され、ここで毛髪等の比較的大きな夾雑物が除去される。また、ヘアキャッチャ１４を通過した湯水は、次に殺菌手段１６により例えば塩素系の殺菌剤等が所定量添加される。尚、殺菌手段１６は薬剤添加と併用してオゾン殺菌装置や紫外線殺菌装置による殺菌を行っても良い。そして、この殺菌手段１６の動作により、取水された湯水中の細菌類は死滅もしくは減少する。
【００２０】
殺菌手段１６において殺菌された湯水は、次に濾過手段１８に通水される。この濾過手段１８としては砂濾過器やフィルタ等の周知の濾過装置を用いることができる。尚、本例では濾過手段１８として砂濾過器を用いた例を説明する。濾過手段１８としての砂濾過器は、例えばマンガン砂、アンスラサイト等の粒径、種類の異なる複数種類の濾過材が粒径の順に充填され、粒径の大きい濾材側から湯水を通水することで濾過を行う。これにより、湯水中の細かな夾雑物は除去される。尚、濾過手段１８は定期的に逆洗が行われ、濾材中の夾雑物は適宜除去される。
【００２１】
濾過手段１８で濾過された湯水は次にヒータやボイラ等の周知の加熱手段２０によって所定の温度に加温される。そして、還流配管２２Ａ、２２Ｂを通して浴槽１０Ａ、１０Ｂに還流する。また、温浴設備８０ａ、８０ｂの湯水の総量が所定の値よりも減少した場合には、給水配管７より浴槽１０Ａ、１０Ｂもしくはオーバーフロー槽１１Ａ、１１Ｂに対して適宜湯水が補水される。
【００２２】
次に、本発明に係る温浴設備８０ａの特徴的な動作を説明する。この温浴設備８０ａでは浴槽１０Ａ、１０Ｂは基本的に常時満水とされ、これにさらに還流配管２２Ａ、２２Ｂから加温された湯水が供給される。よって、浴槽１０Ａ、１０Ｂからは常時湯水が溢れオーバーフロー槽１１Ａ、１１Ｂ内に落水する。また、浴槽１０Ａ、１０Ｂに利用者が出入りなどすると、これに応じてオーバーフロー量が増減しオーバーフロー槽１１Ａ、１１Ｂの水位が上下する。
【００２３】
そして、水位取得手段３０Ａ、３０Ｂは、このオーバーフロー槽１１Ａ、１１Ｂの水位を取得して水位情報として制御部３４に出力する。また制御部３４は水位取得手段３０Ａ、３０Ｂからの水位情報に基づいて取水量調整手段３２Ａ、３２Ｂの流量を制御し、取水配管１２Ａ、１２Ｂの取水量を調整する。
【００２４】
この制御部３４による取水量調整手段３２Ａ、３２Ｂの制御は例えば以下の様にして行う。先ず、制御部３４は入力したオーバーフロー槽１１Ａ、１１Ｂの水位情報を比較するとともに両者の差分を算出する。そして、相対的に水位が高いオーバーフロー槽１１Ａ、１１Ｂ側の取水量調整手段３２Ａ、３２Ｂの開度を水位情報の差分に応じて拡げ、取水配管１２Ａ、１２Ｂの流量（取水量）が大きくなるように制御する。反対に相対的に水位が低いオーバーフロー槽１１Ｂ、１１Ａ側の取水量調整手段３２Ｂ、３２Ａの開度を水位情報の差分に応じて狭め、取水配管１２Ｂ、１２Ａの流量（取水量）が小さくなるように制御する。これにより、相対的に水位が高いオーバーフロー槽１１Ａ、１１Ｂの取水量が増大すると同時に相対的に水位が低いオーバーフロー槽１１Ｂ、１１Ａの取水量が減少し、オーバーフロー槽１１Ａ、１１Ｂの水位は略均等化する。尚、この制御方法は浴槽数が２つの場合に好適な制御方法である。
【００２５】
また、制御部３４の他の制御方法としては、水位情報の絶対的な値に応じて取水量調整手段３２Ａ、３２Ｂの流量を変化させる方法ある。この構成ではオーバーフロー槽１１Ａ、１１Ｂの水位が上下し、水位取得手段３０Ａ、３０Ｂの水位情報の値が規定の値よりも増減すると、単純にこの水位情報の値に応じて取水量調整手段３２Ａ、３２Ｂの流量（開度）を変化させる。これにより、規定の値よりも水位の高いオーバーフロー槽１１Ａ、１１Ｂの取水配管１２Ａ、１２Ｂの取水量は増大しオーバーフロー槽１１Ａ、１１Ｂの水位は低下する。また反対に規定の値よりも水位の低いオーバーフロー槽１１Ａ、１１Ｂの取水配管１２Ａ、１２Ｂの取水量は減少しオーバーフロー槽１１Ａ、１１Ｂの水位は上昇する。これにより、オーバーフロー槽１１Ａ、１１Ｂの水位は規定の値に略均等化される。
【００２６】
次に、温浴設備８０ｂの動作を説明する。この温浴設備８０ｂでは、水位取得手段３０Ａ、３０Ｂは浴槽１０Ａ、１０Ｂの水位を取得して水位情報として制御部３４に出力する。そして、制御部３４は水位取得手段３０Ａ、３０Ｂからの浴槽１０Ａ、１０Ｂの水位情報に基づいて還流量調整手段３６Ａ、３６Ｂを制御し、還流配管２２Ａ、２２Ｂによる浴槽１０Ａ、１０Ｂへの湯水の還流量を調整する。
【００２７】
この温浴設備８０ｂの制御部３４の制御動作としては、水位情報の絶対的な値に反比例するように還流量調整手段３６Ａ、３６Ｂの流量（開度）を制御する方法を用いることが好ましい。この構成では、浴槽１０Ａ、１０Ｂの水位が上昇し、水位取得手段３０Ａ、３０Ｂの水位情報の値が規定の値を超えると、この水位情報の値に反比例して還流量調整手段３６Ａ、３６Ｂの開度が狭められ流量が小さくなるように制御される。これにより、還流配管２２Ａ、２２Ｂからの浴槽１０Ａ、１０Ｂへの湯水の還流量は減少し、浴槽１０Ａ、１０Ｂの水位は低下する。反対に浴槽１０Ａ、１０Ｂの水位が低下し、水位取得手段３０Ａ、３０Ｂの水位情報の値が規定の値を下回ると、この水位情報の値と反比例して還流量調整手段３６Ａ、３６Ｂの開度は拡げられ流量が大きくなるように制御される。これにより、還流配管２２Ａ、２２Ｂからの浴槽１０Ａ、１０Ｂへの還流量は増大し、浴槽１０Ａ、１０Ｂの水位は上昇する。これにより、浴槽１０Ａ、１０Ｂの水位は規定の値に略均等化される。
【００２８】
尚、温浴設備８０ｂの制御部３４による制御は水位情報の差分に基づいて行っても良い。この構成では水位取得手段３０Ａ、３０Ｂから出力される浴槽１０Ａ、１０Ｂ双方の水位情報を比較して、相対的に水位が高い浴槽１０Ａ、１０Ｂの還流量調整手段３６Ａ、３６Ｂの開度を水位情報の差分に応じて狭め、流量が小さくなるように制御する。これにより、還流配管２２Ａ、２２Ｂからの湯水の還流量は減少し、浴槽１０Ａ、１０Ｂの水位は低下する。また反対に相対的に水位が低い浴槽１０Ｂ、１０Ａの還流量調整手段３６Ｂ、３６Ａの開度を水位情報の差分に応じて拡げ流量が大きくなるように制御する。これにより、還流配管２２Ｂ、２２Ａからの湯水の還流量は増大し、浴槽１０Ｂ、１０Ａの水位は上昇する。これにより、浴槽１０Ａ、１０Ｂの水位は略均等化する。
【００２９】
ここで、スモールスケールの実験槽を用い温浴設備８０ａの動作を検証する。尚、実験槽は容量１．００ｍ３の２つの疑似的な浴槽１０Ａ、１０Ｂと、容量０．０８ｍ３のオーバーフロー槽１１Ａ、１１Ｂとを用い、オーバーフロー槽１１Ａ、１１Ｂには取水配管１２Ａ、１２Ｂを接続し、浴槽１０Ａ、１０Ｂにはバイパス管２６Ａ、２６Ｂと還流配管２２Ａ、２２Ｂとをそれぞれ接続した。尚、ヘアキャッチャ１４、殺菌手段１６、濾過手段１８、加熱手段２０は設置を省略した。また、ポンプ手段２４の流量は１０８Ｌ／ｍｉｎとした。そして、初期状態における取水配管１２Ａ、１２Ｂの流量を１８Ｌ／ｍｉｎ、バイパス管２６Ａ、２６Ｂの流量を３６Ｌ／ｍｉｎとなるよう取水量調整手段３２Ａ、３２Ｂ、流量調整手段２８Ａ、２８Ｂを調整し、この流量で流量調整手段２８Ａ、２８Ｂを固定した。また、制御部３４の制御方法は水位情報の差分に基づく相対制御とした。そして、検証実験は体積０．０４ｍ３（４０Ｌ）の物体を浴槽１０Ａ、１０Ｂに出し入れし、そのときのオーバーフロー槽１１Ａ、１１Ｂ水位と取水配管１２Ａ、１２Ｂの流量を測定して行った。
【００３０】
ここで、実験時の経過時間とオーバーフロー槽１１Ａ、１１Ｂの水位の関係を図３（ａ）に、経過時間と取水配管１２Ａ、１２Ｂの流量の関係を図３（ｂ）に示す。尚、図３において、破線ａがオーバーフロー槽１１Ａの水位及び取水配管１２Ａの流量であり、実線ｂがオーバーフロー槽１１Ｂの水位及び取水配管１２Ｂの流量である。
【００３１】
先ず、初期状態で安定した温浴設備８０ａ（実験槽）の一方の浴槽１０Ｂに前記の物体を沈降させた（図３中のＢ１点）。これにより、浴槽１０Ｂの湯水が瞬間的にオーバーフロー槽１１Ｂに流入し、図３（ａ）の実線ｂに示すオーバーフロー槽１１Ｂの水位が急上昇した。この水位の変化を受け制御部３４は、取水配管１２Ｂの取水量調整手段３２Ｂの開度を拡げオーバーフロー槽１１Ｂからの取水量を増大させるとともに、取水配管１２Ａの取水量調整手段３２Ａの開度を狭め（一時的に閉塞し）オーバーフロー槽１１Ａからの取水量を減少させるよう動作する。これにより、図３（ｂ）に示すようにオーバーフロー槽１１Ｂの取水量（実線ｂ）は増大し、オーバーフロー槽１１Ａの取水量（破線ａ）は減少する。これにより、オーバーフロー槽１１Ａ、１１Ｂの水位の差は徐々に狭まり、これに応じて取水量調整手段３２Ｂは狭まる方向に、取水量調整手段３２Ａは拡がる方向に制御される。これによりオーバーフロー槽１１Ａ、１１Ｂの取水量の差も減少し、両者の水位は物体投入からおよそ１２５ｓｅｃ後に水位差約１３ｍｍの値で略均等化し安定した。
【００３２】
次に、物体を浴槽１０Ｂから取り出した（図３中のＢ２点）。これにより、オーバーフロー槽１１Ｂへの湯水の流入量が減少し、オーバーフロー槽１１Ｂの水位は徐々に減少した。このオーバーフロー槽１１Ａ、１１Ｂの水位の変化により取水量調整手段３２Ｂは狭まる方向に、取水量調整手段３２Ａは拡がる方向に制御され、これにより、図３（ｂ）に示すオーバーフロー槽１１Ｂの取水量（実線ｂ）は減少し、オーバーフロー槽１１Ａの取水量（破線ａ）は増大する。これにより、オーバーフロー槽１１Ａ、１１Ｂの水位の差は徐々に狭まり、これに応じて取水量調整手段３２Ｂは拡がる方向に、取水量調整手段３２Ａは狭まる方向にそれぞれ制御される。これにより、オーバーフロー槽１１Ａ、１１Ｂの取水量の差も減少し、両者の水位は物体取り出しからおよそ１７６ｓｅｃ後に水位差がほぼゼロの状態で略均等化し安定した（図３中のＢ３点）。
【００３３】
次に、他方の浴槽１０Ａに同様にして物体を沈降させた（図３中のＡ１点）。これにより、浴槽１０Ａの湯水が瞬間的にオーバーフロー槽１１Ａに流入し、図３（ａ）の破線ａに示すオーバーフロー槽１１Ａの水位は急上昇した。この水位の変化により制御部３４は、取水量調整手段３２Ａの開度を拡げオーバーフロー槽１１Ａからの取水量を増大させるとともに、取水量調整手段３２Ｂの開度を狭め（一時的に閉塞し）オーバーフロー槽１１Ｂからの取水量を減少させる。これにより、図３（ｂ）に示すようにオーバーフロー槽１１Ａの取水量（破線ａ）は増大し、オーバーフロー槽１１Ｂの取水量（実線ｂ）は減少する。これにより、オーバーフロー槽１１Ａ、１１Ｂの水位の差は徐々に狭まり、これに応じて取水量調整手段３２Ａは狭まる方向に、取水量調整手段３２Ｂは拡がる方向に制御される。これにより、オーバーフロー槽１１Ａ、１１Ｂの取水量の差も減少し、両者の水位は物体投入からおよそ９４ｓｅｃ後に水位差約１５ｍｍの値で略均等化し安定した。
【００３４】
次に、物体を浴槽１０Ａから取り出した（図３中のＡ２点）。これにより、オーバーフロー槽１１Ａへの湯水の流入量が減少し、オーバーフロー槽１１Ａの水位は徐々に減少した。このオーバーフロー槽１１Ａ、１１Ｂの水位の変化により取水量調整手段３２Ａは狭まる方向に、取水量調整手段３２Ｂは拡がる方向に制御され、これにより、図３（ｂ）に示すオーバーフロー槽１１Ａの取水量（破線ａ）は減少し、オーバーフロー槽１１Ｂの取水量（実線ｂ）は増大する。これにより、オーバーフロー槽１１Ａ、１１Ｂの水位の差は徐々に狭まり、これに応じて取水量調整手段３２Ａは拡がる方向に、取水量調整手段３２Ｂは狭まる方向に制御される。これにより、オーバーフロー槽１１Ａ、１１Ｂの取水量の差も減少し、両者の水位は物体取り出しからおよそ２５１ｓｅｃ後に水位差がほぼゼロの状態で略均等化し安定した（図３中のＡ３点）。
【００３５】
これらの結果から、温浴設備８０ａは連通管９を用いなくともオーバーフロー槽１１Ａ、１１Ｂの水位の略均等化を図ることが可能なことが判る。また、水位情報の絶対値による制御方法においても水位の略均等化を図ることが可能と推測される。さらに、温浴設備８０ｂにおいても同様の水位の略均等化を図ることが可能と推測される。
【００３６】
以上のように、本発明に係る温浴設備８０ａはオーバーフロー槽１１Ａ、１１Ｂの水位に応じて、水位の高いオーバーフロー槽１１Ａ、１１Ｂの取水量を大きくするように制御する。また、水位の低いオーバーフロー槽１１Ａ、１１Ｂの取水量を小さくするように制御する。これにより、細菌類の繁殖の大きな温床となる連通管９を用いることなくオーバーフロー槽１１Ａ、１１Ｂの水位の略均等化を図ることができる。これにより、温浴設備における衛生面の向上を図ることができる。また、連通管９が存在しないことから清掃が容易となり、メンテナンス性の向上を図ることができる。
【００３７】
尚、本例で示した温浴設備８０ａ、８０ｂの各部の構成、機構、形状、寸法、動作、配管経路等は一例であるから、特に本例に限定される訳ではなく、本発明は本発明の要旨を逸脱しない範囲で変更して実施することが可能である。
【符号の説明】
【００３８】
１０Ａ、１０Ｂ    浴槽
１１Ａ、１１Ｂ    オーバーフロー槽
１２Ａ、１２Ｂ    取水配管
１８    濾過手段
２２Ａ、２２Ｂ    還流配管
３０Ａ、３０Ｂ    水位取得手段
３４    制御部
３２Ａ、３２Ｂ    取水量調整手段（流量調整手段）
３６Ａ、３６Ｂ    還流量調整手段（流量調整手段）
８０ａ、８０ｂ    温浴設備